(57)【要約】      （修正有）【課題】吸着面の相対角度を変更して用途の自由度を高めることのできる吸盤装置、及びこの吸盤装置に利用されるジョイント部材を提供する。【解決手段】複数の吸盤２、３、と、これらの吸盤２、３、の吸着面２１、３１、の方向を相対的に変更して保持できるように当該吸盤２、３、同士を接続する接続手段４とを具備してなることを特徴とする。【選択図】図１
2014149078.tif 000002
【特許請求の範囲】
【請求項１】
複数の吸盤と、これらの吸盤の吸着面の方向を相対的に変更して保持できるように当該吸盤同士を接続する接続手段とを具備してなることを特徴とする吸盤装置。
【請求項２】
前記一の吸盤が、前記他の吸盤に対して３次元の回転をするように構成されたものである請求項１記載の吸盤装置。
【請求項３】
前記接続手段が、前記吸盤の吸着面と反対側に配され前記吸盤の吸着状態を補強する吸着補強部材を備えている請求項１または２記載の吸盤装置。
【請求項４】
前記吸着補強部材が、前記吸盤を厚み方向に押圧する押圧部と、この押圧部と一体に形成され前記吸盤の取付部に外着される部材取付部とを備えており、前記部材取付部に設けられた貫通孔の軸心を前記吸盤の取付部に設けられた貫通孔の軸心と一致させている請求項３記載の吸盤装置。
【請求項５】
前記接続手段が、外力を受けた際に変形し、外力を除去した際にその変形姿勢を自己保持する塑性変形部材により構成されたものである請求項１、２、３または４記載の吸盤装置。
【請求項６】
前記接続手段が、外力を受けた際に回転し、外力を除去した際にその回転姿勢を自己保持するジョイントを備えたものである請求項１、２、３、４または５記載の吸盤装置。
【請求項７】
前記接続手段が、変形可能なものであり、当該接続手段を変形することにより、一の吸盤と他の吸盤との離間距離を変更し得るものである請求項１、２、３、４、５または６記載の吸盤装置。
【請求項８】
前記接続手段が、複数本のワイヤをねじり加工したものである請求項５記載の吸盤装置。
【請求項９】
前記各吸盤が、合成樹脂製の吸盤本体と、この吸盤本体の中央部分に着脱可能に設けられた取付部とを備えたものであり、
前記吸盤本体が、当該吸盤本体の厚み方向に貫通された開口部と、この開口部と連通して厚み方向中間部分に形成された溝とを備えたものであり、
前記取付部が、前記溝に取り付けられる嵌合部と、この嵌合部と一体に形成され外部から把持可能な突出部とを備えたものである請求項１、２、３、４、５、６、７または８記載の吸盤装置。
【請求項１０】
請求項６に記載の吸盤装置に利用されるジョイント部材であって、
一方の吸盤に設けられた保持部内で摺動可能な一方の被保持部と、
他方の吸盤に設けられた保持部内で摺動可能、かつ、当該保持部に対して着脱可能であり、表面に滑り止め要素を備えた他方の被保持部と、
前記一方の被保持部と前記他方の被保持部とを接続する接続部とを具備してなることを特徴とするジョイント部材。
【発明の詳細な説明】
【技術分野】
【０００１】
本発明は、複数の吸盤を備えた吸盤装置、及びこの吸盤装置に利用されるジョイント部材に関するものである。
【背景技術】
【０００２】
複数の吸盤を備えた吸盤装置として、例えば、浴槽の壁等に吸着される対をなす吸盤と、これらの吸盤間に架設されタオル等を掛けるためのバーとを備えたハンガーがよく知られている（例えば、下記特許文献１を参照）。
【０００３】
このようなハンガーは、同じ方向に吸着面を向けた２つの吸盤に、バーの両端部がそれぞれ固着されている。そのため、例えば壁の一面等、同一平面上に配される被吸着面に前記ハンガーを取り付けることができる。
【０００４】
しかしながら、例えば壁の角部分等、同一平面上になく、互いに異なる方向を向いた被吸着面に前記ハンガーを取り付けることは難しく、したがって、前記ハンガーの取り付け場所が限られてしまうという不具合が生じている。
【０００５】
また、ハンガーとしての用途以外で用いられる場合であっても、吸盤装置が有する複数の吸盤を互いに異なる方向を向いた被吸着面に取り付けたいという要望があり、何らかの対策が求められている。
【先行技術文献】
【特許文献】
【０００６】
【特許文献１】特開２００４−０１６５３５号公報
【発明の概要】
【発明が解決しようとする課題】
【０００７】
本発明は、吸着面の相対角度を変更して用途の自由度を高めることのできる吸盤装置、及びこの吸盤装置に利用されるジョイント部材を提供することを目的としている。
【課題を解決するための手段】
【０００８】
本発明は、以上のような課題を解決するために、次のような構成を採用したものである。すなわち、本発明に係る吸盤装置は、複数の吸盤と、これらの吸盤の吸着面の方向を相対的に変更して保持できるように当該吸盤同士を接続する接続手段とを具備してなることを特徴とする。
【０００９】
このようなものであれば、吸盤を取り付けたい被吸着対象の被吸着面に合わせて各吸盤の吸着面の相対角度を変更し、その角度に保持することができる。そのため、この吸盤装置を異なる方向を向いた種々の被吸着対象に取り付けることができ、用途の自由度を高めることができる。
【００１０】
前記一の吸盤は、前記他の吸盤に対して３次元の回転をするように構成されたものが好ましい。
【００１１】
前記接続手段の好適な一態様としては、前記吸盤の吸着面と反対側に配され前記吸盤の吸着状態を補強する吸着補強部材を備えているものが挙げられる。
【００１２】
前記吸着補強部材は、前記吸盤を厚み方向に押圧する押圧部と、この押圧部と一体に形成され前記吸盤の取付部に外着される部材取付部とを備えており、前記部材取付部に設けられた貫通孔の軸心を前記吸盤の取付部に設けられた貫通孔の軸心と一致させているものが好ましい。
【００１３】
前記接続手段の好適な一態様としては、外力を受けた際に変形し、外力を除去した際にその変形姿勢を自己保持する塑性変形部材により構成されたものが挙げられる。
【００１４】
ここで、「塑性変形部材」とは、例えば、針金部材やより線等、変形を引き起こしている外力を取り除いた後、変形が元に戻らずに残っているようなものであればどのようなものであってもよい。
【００１５】
前記接続手段の他の好適な一態様としては、外力を受けた際に回転し、外力を除去した際にその回転姿勢を自己保持するジョイントを備えたものが挙げられる。
【００１６】
ここで、「ジョイント」とは、一軸まわりに回転可能なものや、二軸以上の回転自由度をもったもの等を含む。
【００１７】
また、「回転姿勢を自己保持する」方法としては、無段階または有段階の摩擦力を用いて止める方法や、外力を加えてロック状態及びロック解除状態を切り替えることができるロック部材を用いて止める方法等が挙げられる。
【００１８】
前記接続手段が、変形可能なものであり、当該接続手段を変形することにより、一の吸盤と他の吸盤との離間距離を変更し得るものが好ましい。
【００１９】
前記接続手段の具体的な一態様としては、複数本のワイヤをねじり加工したものが挙げられる。
【００２０】
前記各吸盤が、合成樹脂製の吸盤本体と、この吸盤本体の中央部分に着脱可能に設けられた取付部とを備えたものである場合の好適な一態様としては、前記吸盤本体が、当該吸盤本体の厚み方向に貫通された開口部と、この開口部と連通して厚み方向中間部分に形成された溝とを備えたものであり、前記取付部が、前記溝に取り付けられる嵌合部と、この嵌合部と一体に形成され外部から把持可能な突出部とを備えたものが挙げられる。
【００２１】
また、請求項６に記載の吸盤装置に利用されるジョイント部材としては、一方の吸盤に設けられた保持部内で摺動可能な一方の被保持部と、他方の吸盤に設けられた保持部内で摺動可能、かつ、当該保持部に対して着脱可能であり、表面に滑り止め要素を備えた他方の被保持部と、前記一方の被保持部と前記他方の被保持部とを接続する接続部とを具備してなるものが好ましい。
【発明の効果】
【００２２】
本発明は、以上のような構成であるから、吸着面の相対角度を変更して用途の自由度を高めることのできる吸盤装置、及びこの吸盤装置に利用されるジョイント部材を提供することができる。
【図面の簡単な説明】
【００２３】
【図１】本発明の第１実施形態の吸盤装置の使用態様を示す図。
【図２】同実施形態の吸盤装置を示す正面図。
【図３】同実施形態の吸盤装置の作動説明図。
【図４】図３のＷ−Ｗ線断面図。
【図５】同実施形態の吸盤装置の作動説明図。
【図６】同実施形態の吸盤装置の使用態様を示す図。
【図７】同実施形態の吸盤装置の使用態様を示す図。
【図８】本発明の第２実施形態の吸盤装置を一部破断させて示す正面図。
【図９】本発明の第３実施形態の吸盤装置を示す正面図。
【図１０】同実施形態の吸盤装置の作動説明図。
【図１１】本発明の第４実施形態の吸盤装置を一部破断させて示す正面図。
【図１２】本発明の第５実施形態の吸盤装置を示す正面図。
【図１３】同実施形態の吸盤装置の左側面から見た作動説明図。
【図１４】本発明の第６実施形態の吸盤装置を示す正面図。
【図１５】同実施形態の吸盤装置の左側面から見た作動説明図。
【図１６】図１５のＸ−Ｘ線断面図。
【図１７】本発明の第７実施形態の吸盤装置を示す正面図。
【図１８】図１７のＹ−Ｙ線断面図。
【図１９】本発明の第８実施形態の吸盤装置の使用態様を示す図。
【図２０】本発明の第９実施形態の吸盤装置を一部破断させて示す正面図。
【図２１】同実施形態の吸盤装置の使用態様を示す図。
【図２２】本発明の第１０実施形態の吸盤装置を一部破断させて示す正面図。
【図２３】同実施形態の吸盤装置を示す側面図。
【図２４】同実施形態の吸盤装置の使用態様を示す図。
【図２５】本発明の第１１実施形態の吸盤装置における吸盤を示す中央断面図。
【図２６】本発明の参考となる第１２実施形態の吸盤装置の使用態様を示す図。
【図２７】本発明の変形例の吸盤装置を示す正面図。
【図２８】図２７のＺ−Ｚ線断面図。
【図２９】本発明の参考となる第１３実施形態の吸盤装置を一部破断させて示す正面図。
【発明を実施するための形態】
【００２４】
＜第１実施形態（図１〜図７）＞
まず、本発明の第１実施形態について図１〜図７を参照して説明する。
【００２５】
この吸盤装置１は、図１に示すように、例えばスマートフォン等、表示機能を有する機器Ａ１をテーブル等の固定台Ａ２に支持させるためのものであり、複数の吸盤２、３と、これらの吸盤２、３を接続する接続手段４とを具備してなる。より具体的には、この吸盤装置１は、図２に示すように、複数の被吸着対象Ａである機器Ａ１と固定台Ａ２とにそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、図３に示すように、前記第１の吸盤２が前記第２の吸盤３に対して３次元の回転をするように構成されている。
【００２６】
各吸盤２、３は、図１〜図４に示すように、例えば、硬質ゴムまたは硬質合成樹脂製の円盤状をなす通常のものである。各吸盤２、３は、滑らかな表面を持つ被吸着対象Ａに吸着される吸着面２１、３１として用いられる内側面と、この内側面の反対側に形成される外側面２２、３２とを備えている。内側面は、中央に向かって凹陥する湾曲面をなしている。外側面２２、３２は、中央に向かって突出する湾曲面をなしており、その中央部には取付部２３（吸盤３の取付部については図示せず）が外方へ突出している。また、外側面２２、３２には、吸盤２、３を被吸着対象Ａから取り外す際に用いられる取り外し用の操作片（図示せず）が突設されている。
【００２７】
接続手段４は、図１〜図４に示すように、外力を受けた際に変形し、外力を除去した際にその変形姿勢を自己保持する塑性変形部材４３により構成されたものである。接続手段４は、複数本のワイヤ４３１をねじり加工したものを主体に構成されている。より具体的には、接続手段４は、前記第１の吸盤２に固着された第１のベース部材４１と、前記第２の吸盤３に固着された第２のベース部材４２と、これらベース部材４１、４２間に装着された３本のワイヤ４３１と、これらのワイヤ４３１を外側から覆うカバー４４とを備えている。
【００２８】
第１のベース部材４１は、例えば、木製の円柱形状のもので、円形状をなす一端部４５に図示しないビス孔を形成しており、前記吸盤２の吸着面２１側から挿入したビス４７を用いて前記吸盤２の取付部２３の外側に固定されている。第１のベース部材４１の他端部４６側には、ワイヤ４３１を通すための貫通孔４６１と、この貫通孔４６１に連続し当該第１のベース部材４１の長手方向に伸びる案内溝４６２とが設けられている。第２のベース部材４２は、第１のベース部材４１に準じたものであり、第１のベース部材４１に対応する部分には同一の符号を付して詳細な説明を省略する。
【００２９】
ワイヤ４３１は、外力を受けた際に変形し、外力を除去した際にその変形姿勢を自己保持する金属製のもので、前記第１の吸盤２と第２の吸盤３とが背中合わせになるように接続するものである。ワイヤ４３１は、第１のベース部材４１及び第２のベース部材４２の貫通孔４６１及び案内溝４６２にそれぞれ装着されるとともに、第１のベース部材４１及び第２のベース部材４２の他端部４６、４６間でねじり加工されたものである。
【００３０】
カバー４４は、例えば、変形可能な合成樹脂製のものであり、前記ワイヤ４３１のねじり加工された部分を外側から覆うようにして、第１のベース部材４１及び第２のベース部材４２の他端部４６、４６間に配されている。
【００３１】
さらに、本実施形態の接続手段４は、前記吸盤２、３の吸着面２１、３１と反対側にそれぞれ配され前記吸盤２、３の吸着状態を補強する吸着補強部材７を備えている。各吸着補強部材７は、平面視略円環状をなす薄板で、例えば板金素材を打ち抜き加工及び変形加工することによって、吸盤２、３の外側面２２、３２に沿うように添設されている。詳述すれば、各吸着補強部材７は、前記吸盤２、３を厚み方向に押圧する押圧部７０を備えたものであり、環状をなす一箇所に外側縁７１と内側縁７２にわたって形成された切り欠き部７３が設けられている。各吸着補強部材７は、吸盤２、３の変形に伴って切り欠き部７３の両縁７４、７５の重なり具合が変化して外側面２２、３２に略密着する。そして、吸着補強部材７の内側縁７２は、前記ベース部材４１、４２の一端部４５によって厚み方向に押圧されるようになっている。なお、この吸着補強部材７は、図面でパターンを付して示している。
【００３２】
以上のようにしてなる吸盤装置１をスマートフォンの支持装置として用いる場合には、図１に示すように、各吸盤２、３の吸着面２１、３１を被吸着対象Ａの被吸着面に向け、各吸盤２、３の外側面２２、３２の中央部を被吸着面方向に押圧することにより、吸着面２１、３１と被吸着面との間がほぼ真空状態となり、各吸盤２、３を被吸着面に吸着させ固定することができる。詳述すれば、第１の吸盤２を第１の被吸着対象Ａである固定台Ａ２の上面に取り付けるとともに、第２の吸盤３を第２の被吸着対象Ａである機器Ａ１の背面に取り付ける。そして、被吸着対象Ａに吸盤２、３を取り付ける前、もしくは、取り付けた後に、接続手段４に外力を加えてワイヤ４３１を塑性変形させ、これらの吸盤２、３の吸着面２１、３１の方向を相対的に変更する。一方の吸着面２１に対する他方の吸着面３１の角度を変更した後に、接続手段４に外力を加えるのをやめれば、塑性変形部材４３の自己保持力によりその角度が保持され、固定台Ａ２の上面に対する機器Ａ１の表示画面を所望の角度に設定することができる。
【００３３】
このように、本実施形態の吸盤装置１は、対をなす吸盤２、３と、これらの吸盤２、３の吸着面２１、３１の方向を相対的に変更して保持できるように接続する接続手段４とを具備してなるので、吸着面２１、３１の相対角度を所望の方向に変えることが可能となり、用途の自由度を高めることができる。すなわち、従来のように複数の吸盤２、３を一平面上に並ぶように取り付けることができるだけでなく、様々な角度をなす２つの被吸着面に対して取り付けることができるため、上述した支持装置としての用途や、これ以外の用途としても用いることができる。また、本実施形態の吸盤装置１によれば、被吸着対象Ａの被吸着面を汚したり、傷つけたりすることなく、使用目的に合わせて吸盤２、３を吸着可能な平らな面を持つもの同士を接続することができる。なお、被吸着対象が吸着不能なものの場合であっても、アクリル板等の取付補助具を用いて被吸着面を形成するようにすれば、被吸着対象は無限に広がることとなる。
【００３４】
さらに、本実施形態の吸盤装置１は、前記第１の吸盤２が前記第２の吸盤３に対して３次元の回転をするように構成されたものであるので、第１及び第２の吸盤２、３の吸着面２１、３１を所望の方向に向けることができ、用途の自由度を高めることができる。そのため、第１の吸盤２を固定台Ａ２に支持させたまま、第２の吸盤３に取り付けられた機器Ａ１を所望の方向に動かすことができる。
【００３５】
前記接続手段４は、外力を受けた際に変形し、外力を除去した際にその変形姿勢を自己保持する塑性変形部材４３により構成されたものであるので、各吸着面２１、３１を所望の方向に向けた後に、当該塑性変形部材４３に再び外力が加わるまでの一定時間、その形状を保持させることができる。特に、本実施形態では、前記接続手段４が、３本のワイヤ４３１をねじり加工したものであるので、上述した態様を容易に実現することができる。
【００３６】
また、前記接続手段４が、変形可能なものであり、当該接続手段４を変形することにより、第１の吸盤２と第２の吸盤３との離間距離を変更し得るものであるため、第１及び第２の吸盤２、３の吸着面２１、３１の相対的な角度のみならず、相対的な位置も変更することができ、さらに用途の自由度を高めることができる。具体的には、例えば図５に示すように、接続手段４を湾曲させることにより第１の吸盤２と第２の吸盤３との離間距離を短くすることができる。なお、この図５のものは、図１〜図３に示した接続手段４よりも長尺なものである。
【００３７】
さらに、前記接続手段４は、例えば比較的軽量なものを掛けるためのハンガーとして利用することもできる。
【００３８】
本実施形態の吸盤装置１の他の用途の一例としては、例えば、図６に示すように、吸盤装置１をスマートフォンＡ４の支持装置として用いる場合が挙げられる。この場合、第１の吸盤２を第１の被吸着対象Ａである車のフロントガラスＡ３の内面に取り付けるとともに、第２の吸盤３を第２の被吸着対象ＡであるスマートフォンＡ４の背面に取り付けるようにすればよい。なお、第１の被吸着対象Ａは、車のインストルメントパネルの表面や、車のルームミラーの表面、ダッシュボードの上面等であってもよい。また、第２の被吸着対象Ａは、カーナビゲーションシステムを搭載した電子機器やポータブル式のオーディオ機器等であってもよい。
【００３９】
また、さらに他の用途の一例としては、例えば、図７に示すように、吸盤装置１を補助用のヘッドライトＡ６の取付装置として用いる場合が挙げられる。この場合、第１の吸盤２を第１の被吸着対象ＡであるヘルメットＡ５の外面に取り付けるとともに、第２の吸盤３を第２の被吸着対象ＡであるライトＡ６の側面に取り付けるようにすればよい。
【００４０】
なお、本実施形態の吸盤装置における第１の吸盤と第２の吸盤とは、相互に形状や大きさが異なるように示していたが、第１の吸盤と第２の吸盤とは同一のものであってもよいのはもちろんである。
【００４１】
また、接続手段の塑性変形部材は、ねじり加工された３本のワイヤの他に、２本または４本以上のワイヤをねじり加工したものであってもよい。さらに、複数のワイヤをより合わせて構成されたより線であれば、柔軟性に優れ、曲げやねじれに強い特性を持たせることができる。
【００４２】
接続手段は、例えば図５に示すようにループ状に湾曲させることにより第１の吸盤と第２の吸盤との離間距離を短くすることができるものであれば、ワイヤが１本、または複数本、それら複数本のワイヤがねじり加工されているか否かにかかわらず、どのようなものであってもよい。
【００４３】
さらに、第１のベース部材や第２のベース部材は、その形状、大きさ、素材等について、上述したものに限られずどのようなものであってもよい。例えば、第１のベース部材や第２のベース部材の素材としては、木製の他、金属製、合成樹脂製、その他種々変更可能である。
【００４４】
また、第１のベース部材または第２のベース部材は、案内溝が設けられないものであってもよい。例えば、接続手段として３本以上のワイヤをねじり加工したものを用いる場合には、ねじり加工した際に案内溝を使用する必要なしに第１または第２のベース部材にワイヤがしっかりと装着されることとなる。一方、接続手段として２本のワイヤをねじり加工したものを用いる場合には、第１または第２のベース部材に対するワイヤの装着状態を良好なものとするために案内溝があることが好ましい。このように、ワイヤのねじり加工と案内溝の組み合わせ、または、ワイヤのねじり加工のみによって、接着剤を用いることなくワイヤを第１または第２のベース部材に固着することができる。
【００４５】
第１のベース部材及び第２のベース部材が合成樹脂製のものの一例としては、内部に複数本のワイヤを収容可能なパイプを用いることが考えられる。すなわち、この接続手段は、前記第１の吸盤に固着された第１のベース部材と、前記第２の吸盤に固着された第２のベース部材と、これらベース部材間に装着された複数本のワイヤとを備えたものである。詳述すれば、第１のベース部材は、例えば可撓性のある合成樹脂製の短寸なパイプ状のもので、一端部側が第１の吸盤の取付部に外側から装着されており、一端部に設けられた貫通孔の外方から挿入したビスを用いて第１の吸盤の取付部に固定されている。第１のベース部材の他端部側は開放されており、内部に複数本のワイヤの一端が収納されている。ワイヤの端部は、前記パイプ中に注入された接着剤等を用いて第１のベース部材に固定されている。第２のベース部材は、第１のベース部材に準じたものとすればよい。なお、第１のベース部材及び第２のベース部材を金属製のものとする場合には、ワイヤを挿入した後、第１のベース部材に設けられた切り込みとワイヤの端部とをかしめることによって、ワイヤを第１のベース部材に固定することができる。
【００４６】
また、第１、第２のベース部材は、上述した実施形態のものに限られず種々変更可能である。例えば、前記吸盤の吸着面の反対側に位置する合成樹脂製の取付部に、第１、第２のベース部材を介することなく直接、接続手段を取り付けるようにしてもよい。この場合には、吸盤の取付部におけるできるだけ根元側の位置に、接続手段を取り付けるようにするのが好ましい。すなわち、吸盤と接続手段との接続箇所が、取付部の先端側、すなわち、吸盤の外側面から離れた位置になるほど、接続手段に対して吸盤の吸着面の方向を相対的に変更させる動作をさせたときに、外力を受けて比較的変形しやすい取付部も一緒に変形してしまうことになる。そのため、吸盤の吸着面を所望の方向に設定することが難しくなってしまう。しかしながら、吸盤の取付部のうち外側面の近傍で接続手段を取り付けるようにすれば、外力に伴う取付部の変形を抑制することができ、上述した不具合を解消または抑制することができる。なお、上述した第１実施形態のように、取付部に比較的剛性を有する第１、第２のベース部材を取り付けて、当該第１、第２のベース部材を介して吸盤と接続手段とを接続させるようにしたものであれば、吸盤と接続手段との接続箇所が取付部の先端側に設けられていたとしても、上述した不具合は生じ得ない。
【００４７】
さらに、吸盤装置として、吸盤の取付部のうち外側面の近傍で接続手段と接続するようにし、かつ、吸盤の外側面側に吸着補強部材を配したものが望ましく、このようなものであれば、最低限の操作力で所望の位置にしっかりと吸盤を固定することができる。
【００４８】
第１または第２のベース部材を第１または第２の吸盤に固着する方法は、前述したビスで止めるものには限られず種々変更可能である。また、ビスで止める際に、ワッシャを介して固着するようにすれば、接着剤を用いることなく接続することができ、空気の漏れも抑制することができる。この際のワッシャの素材としては、合成樹脂製のものや金属製のもの等種々のものを用いることができる。具体的な一例としては、前記吸盤２の吸着面２１側に、この吸着面２１よりも径の小さいワッシャ（図示せず）を取り付けてもよい。詳述すれば、このワッシャは、前記ビス４７を前記ビス孔に螺着する際に挟み込まれる金属製の板状部材であり、前記吸盤２に対するビス４７の固定力を高めて、接続手段４に対して吸盤２の吸着面２１の方向が相対的に変更される場合にかかる外力によって、ビス４７が吸盤２から外れてしまう不具合を抑制し得るようになっている。このように、吸盤の内側面側にワッシャを配するとともに、吸盤の外側面側にワッシャとして機能する前記吸着補強部材を配するようにすれば、吸盤を両側から挟み込んで被吸着対象への吸着形状を安定的に保持することができる。
【００４９】
吸着補強部材は、形状や素材について、上述したものに限られず種々変更可能である。例えば、切り欠き部は、吸盤の変形に伴って変形可能なものであればどのようなものであってもよく、例えば、外側縁と内側縁とが連続しないように形成されているものであってもよい。また、切り欠き部の他の例としては、平面視渦巻き状に形成されているものであってもよい。具体的には、吸着補強部材として、弾性変形可能なワイヤを螺旋状に巻いたものを用いることができ、この場合には、隣接するワイヤ間に渦巻き状をなす切り欠き部が形成されることとなる。
【００５０】
さらに、吸着補強部材は、切り欠き部を備えていないものであってもよい。すなわち、吸盤として比較的小さいものを使用した場合には、この吸盤に取り付けられる吸着補強部材も比較的小さなものを使用することになる。この場合に、切り欠き部を備えていない吸着補強部材を用いても、切り欠き部を有したものに準じた態様で、吸盤の吸着状態を補強することができる。また、吸盤として比較的大きいものを使用した場合にも、この吸盤の外側面に沿うように吸着補強部材が変形して吸着面側に押圧するものが好ましいが、切り欠き部を備えない通常のワッシャを用いて吸着面側にゆるやかに押圧するようにしてもよい。
【００５１】
吸着補強部材の素材についても、例えば銅やアルミニウム等の変形しやすい柔らかい金属や、合成樹脂など種々適用可能である。
【００５２】
また、この吸盤装置の使用用途についても、上述したものには限られず種々変更可能である。
【００５３】
＜第２実施形態（図８）＞
次に、本発明の第２実施形態について図８を参照して説明する。なお、第１実施形態と同一またはこれに準ずる部分には、第１実施形態と同一の符号を付して、詳細な説明を省略する。
【００５４】
この吸盤装置１は、図８に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、前記第１の吸盤２が前記第２の吸盤３に対して３次元の回転をするように構成されている。
【００５５】
接続手段４は、図８に示すように、外力を受けた際に変形し、外力を除去した際にその変形姿勢を自己保持する塑性変形部材４３により構成されたものであり、１本のワイヤ４３１を主体に構成されている。より具体的には、接続手段４は、前記第１の吸盤２に固着された第１のベース部材４１と、前記第２の吸盤３に固着された第２のベース部材４２と、これらベース部材４１、４２間に装着された１本のワイヤ４３１とを備えている。
【００５６】
第１のベース部材４１は、例えば、木製の円柱形状のもので、円形状をなす一端部４５に図示しないビス孔を形成しており、前記吸盤２の吸着面２１側から挿入した図示しないビスを用いて前記吸盤２の外側に固定されている。第１のベース部材４１の他端部４６には、吸盤２の厚み方向に伸びる雌ねじ孔４６３が設けられている。第２のベース部材４２は、第１のベース部材４１に準じたものであり、第１のベース部材４１に対応する部分には同一の符号を付して詳細な説明を省略する。
【００５７】
ワイヤ４３１は、外力を受けた際に変形し、外力を除去した際にその変形姿勢を自己保持する金属製のもので、前記第１の吸盤２と第２の吸盤３とが背中合わせになるように接続するものである。このワイヤ４３１は、両サイドにスクリューネジを備えたものである。言い換えれば、ワイヤ４３１は、両端部に雄ねじ部４３２を有しており、第１のベース部材４１及び第２のベース部材４２の雌ねじ孔４６３にそれぞれ装着されている。接続手段４は、変形可能なものであり、当該接続手段４を変形することにより、第１の吸盤２と第２の吸盤３との離間距離を変更できる。この離間距離の変更方法は、第１実施形態のものに準じている。
【００５８】
本実施形態の吸盤装置１は、上述したようなものであるため、第１実施形態と同一またはこれに準じた効果を得ることができる。また、本実施形態では、接続手段４を第１及び第２のベース部材４１、４２と１本のワイヤ４３１で構成しており、ベース部材４１、４２の雌ねじ孔４６３にワイヤ４３１の雄ねじ部４３２を螺着することにより結合するようにしているので、結合部分が外面に表出せず、美観を良好なものとすることができる。また、雌ねじ孔４６３に対する雄ねじ部４３２の装着度合いを変更することによって、第１の吸盤２と第２の吸盤３との離間距離を変更させることも可能である。また、本実施形態では、第１及び第２のベース部材４２が比較的硬い素材である木製のものであるため、容易に雌ねじ孔４６３を形成することができる。
【００５９】
＜第３実施形態（図９、図１０）＞
次に、本発明の第３実施形態について図９及び図１０を参照して説明する。なお、第１実施形態と同一またはこれに準ずる部分には、第１実施形態と同一の符号を付して、詳細な説明を省略する。
【００６０】
この吸盤装置１は、図９及び図１０に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、例えば図１０に二点鎖線で示すように、各吸盤２、３が前記接続手段４に対して３次元の回転をすることによって、前記第１の吸盤２が前記第２の吸盤３に対して３次元の回転をするように構成されている。
【００６１】
接続手段４は、図９及び図１０に示すように、外力を受けた際に回転し、外力を除去した際にその回転姿勢を自己保持するジョイント５２を備えたものであり、剛性部材５１と、この剛性部材５１の両端に設けられたジョイント５２を主体に構成されている。より具体的には、接続手段４は、前記第１の吸盤２に固着された第１のベース部材５２１と、前記第２の吸盤３に固着された第２のベース部材５２２と、これらベース部材５２１、５２２間にジョイント５２を介して装着された前記剛性部材５１であるロッドアンテナ５１１とを備えている。そして、前記第１のベース部材５２１または第２のベース部材５２２と、前記ロッドアンテナ５１１の端部に設けられた接続部材５２３と、両端を前記ベース部材５２１、５２２及び前記接続部材５２３に取り付けられた複数本のワイヤ５２４とによって、ジョイント５２を形成している。
【００６２】
第１のベース部材５２１は、例えば、木製の円柱形状のもので、円形状をなす一端部５２５に図示しないビス孔を形成しており、前記吸盤２の吸着面２１側から挿入した図示しないビスを用いて前記吸盤２の外側に固定されている。第１のベース部材５２１の他端部５２６には、前記ワイヤ５２４を挿入するための図示しない凹部が形成されており、接着剤等を用いてワイヤ５２４の端部が第１のベース部材５２１に固定されている。第２のベース部材５２２は、第１のベース部材５２１に準じたものであり、第１のベース部材５２１に対応する部分には同一の符号を付して詳細な説明を省略する。
【００６３】
ワイヤ５２４は、外力を受けた際に変形し、外力を除去した際にその変形姿勢を自己保持する金属製のもので、前記第１の吸盤２と第２の吸盤３とがロッドアンテナ５１１を介して背中合わせになるように接続するものである。具体的には、ワイヤ５２４は、第１の吸盤２と一方の接続部材５２３、及び第２の吸盤３と他方の接続部材５２３をそれぞれ接続している。
【００６４】
ロッドアンテナ５１１は、伸縮方向に力を加えて伸縮動作させることができるものである。すなわち、本実施形態の接続手段４は、変形可能なものであり、当該接続手段４を変形することにより、第１の吸盤２と第２の吸盤３との離間距離を変更し得るものである。ロッドアンテナ５１１の両端部は、前記接続部材５２３の端部に設けられた図示しない凹部に装着され、接着剤等を用いて当該接続部材５２３に固定されている。
【００６５】
本実施形態の吸盤装置１は、上述したようなものであるため、第１実施形態と同一またはこれに準じた効果を得ることができる。
【００６６】
なお、本実施形態では、剛性部材として伸縮方向に力を加えて伸縮動作をさせるロッドアンテナを用いたが、円周方向に力を加えて伸縮動作させるつっかい棒に替える等、種々変更可能である。
【００６７】
＜第４実施形態（図１１）＞
次に、本発明の第４実施形態について図１１を参照して説明する。なお、第１実施形態と同一またはこれに準ずる部分には、第１実施形態と同一の符号を付して、詳細な説明を省略する。
【００６８】
この吸盤装置１は、図１１に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、例えば図１１に二点鎖線で示すように、前記吸盤２、３が前記接続手段４に対して３次元の回転をすることによって、前記第１の吸盤２が前記第２の吸盤３に対して３次元の回転をするように構成されている。
【００６９】
接続手段４は、図１１に示すように、外力を受けた際に回転し、外力を除去した際にその回転姿勢を自己保持するジョイント５２を備えたものであり、対をなす剛性部材５１と、この剛性部材５１間に配されるボールジョイント５２を主体に構成されている。より具体的には、接続手段４は、前記第１の吸盤２に固着された前記剛性部材５１である第１のアーム部材５３と、この第１のアーム部材５３の先端に固着された球体部５２５と、前記第２の吸盤３に固着された前記剛性部材５１である第２のアーム部材５４と、この第２のアーム部材５４の先端に固着され前記球体部５２５を回転可能に保持する保持部５２６とを備えている。本実施形態では、第１の吸盤２、第１のアーム部材５３及び前記球体部５２５は、合成樹脂により一体に形成されており、第２の吸盤３、第２のアーム部材５４及び前記保持部５２６は、合成樹脂により一体に形成されている。そして、前記球体部５２５と保持部５２６とによって、ボールジョイント５２を形成している。
【００７０】
ジョイント５２は、外力を受けた際に回転し、外力を除去した際にその回転姿勢を自己保持する合成樹脂製のもので、前記第１の吸盤２と第２の吸盤３とが背中合わせになるように接続するものである。ジョイント５２の回転姿勢の自己保持は、球体部５２５の外面と保持部５２６の内面との無段階または有段階の摩擦力やロックを用いて適宜行うことができる。
【００７１】
本実施形態の吸盤装置１は、上述したようなものであるため、第１実施形態と同一またはこれに準じた効果を得ることができる。
【００７２】
なお、本実施形態では、ジョイントとして、３つのローカル座標のどの軸においても回転可能なジョイントであるボールジョイントを例に挙げたが、これに限られず、３つのローカル座標のうち２つの軸でのみ回転可能なジョイントであるユニバーサルジョイントや、３つのローカル座標のうち１つの軸でのみ回転可能なジョイントであるヒンジジョイントに適用してもよいのはもちろんである。なお、ヒンジジョイントの一例を次の実施形態で示す。
【００７３】
＜第５実施形態（図１２、図１３）＞
次に、本発明の第５実施形態について図１２及び図１３を参照して説明する。なお、第１実施形態と同一またはこれに準ずる部分には、第１実施形態と同一の符号を付して、詳細な説明を省略する。
【００７４】
この吸盤装置１は、図１２及び図１３に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、例えば図１３に二点鎖線で示すように、前記吸盤２、３が前記接続手段４に対して一平面上での回転をするように構成されている。
【００７５】
接続手段４は、図１２及び図１３に示すように、外力を受けた際に回転し、外力を除去した際にその回転姿勢を自己保持するジョイント５２を備えたものであり、対をなす剛性部材５１と、これら剛性部材５１間に配されるヒンジジョイント５２を主体に構成されている。より具体的には、接続手段４は、前記第１の吸盤２に固着された前記剛性部材５１である第１のアーム部材５３と、前記第２の吸盤３に固着された前記剛性部材５１である第２のアーム部材５４と、前記第１のアーム部材５３の先端部５３１及び第２のアーム部材５４の先端部５４１とを接続するビス５２９とを備えている。そして、前記第１のアーム部材５３の先端部５３１に形成された貫通孔５２７、第２のアーム部材５４の先端部５４１に形成された貫通孔５２８、及び、ビス５２９によって、ヒンジジョイント５２を形成している。なお、本実施形態においては、第１のアーム部材５３と第２のアーム部材５４と突出長さ寸法を相互に異ならせている。
【００７６】
ジョイント５２は、外力を受けた際に回転し、外力を除去した際にその回転姿勢を自己保持する合成樹脂製のもので、前記第１の吸盤２と第２の吸盤３とが背中合わせになるように接続するものである。ジョイント５２の回転姿勢の自己保持は、ビス５２９の外周面と貫通孔５２７、５２８の内周面との無段階または有段階の摩擦力やロックを用いて適宜行うことができる。なお、符号５２０は、ビス５２９の先端を保持するための蝶ネジの取手である。
【００７７】
本実施形態の吸盤装置１は、上述したようなものであるため、第１実施形態と同一またはこれに準じた効果を得ることができる。なお、図示していないが、第１実施形態に準じた吸着補強部材を取り付けてよいのはもちろんである。
【００７８】
＜第６実施形態（図１４〜図１６）＞
次に、本発明の第６実施形態について図１４〜図１６を参照して説明する。なお、第１実施形態と同一またはこれに準ずる部分には、第１実施形態と同一の符号を付して、詳細な説明を省略する。
【００７９】
この吸盤装置１は、図１４〜図１６に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、例えば図１５に二点鎖線で示すように、前記吸盤２、３が前記接続手段４に対して一平面上での回転をするように構成されている。
【００８０】
接続手段４は、図１４〜図１６に示すように、外力を受けた際に回転し、外力を除去した際にその回転姿勢を自己保持するジョイント５２を備えたものであり、対をなす剛性部材５１と、これら剛性部材５１間に配されるヒンジジョイント５２を主体に構成されている。より具体的には、接続手段４は、前記第１の吸盤２に固着された前記剛性部材５１である第１のアーム部材５３と、前記第２の吸盤３に固着された前記剛性部材５１である第２のアーム部材５４と、前記第１のアーム部材５３の先端部５３１及び第２のアーム部材５４の先端部５４１とを接続するビス５２９とを備えている。そして、前記第１のアーム部材５３の先端部５３１に形成された貫通孔５２７、第２のアーム部材５４の先端部５４１に形成された貫通孔５２８、及び、ビス５２９によって、ヒンジジョイント５２を形成している。なお、本実施形態においては、第１のアーム部材５３と第２のアーム部材５４と突出長さ寸法を相互に異ならせている。
【００８１】
ジョイント５２は、外力を受けた際に回転し、外力を除去した際にその回転姿勢を自己保持する合成樹脂製のもので、前記第１の吸盤２と第２の吸盤３とが背中合わせになるように接続するものである。ジョイント５２の回転姿勢の自己保持は、ビス５２９の外周面と貫通孔５２７、５２８の内周面との無段階または有段階の摩擦力やロックを用いて適宜行うことができる。なお、符号５２０は、ビス５２９の先端を保持するための蝶ネジの取手である。
【００８２】
さらに、本実施形態の吸着補強部材７は、前記吸盤２、３を厚み方向に押圧する押圧部７０と、この押圧部７０と一体に形成され前記吸盤２、３の取付部２３、３３に外着される部材取付部７６とを備えている。押圧部７０は、例えば、金属製の薄板状のものであり、環状をなす外側縁７１と内側縁７２との間の領域で、吸盤２、３の変形に伴って外側面２２、３２に略密着する。部材取付部７６は、前記押圧部７０の内側縁７２から立ち上がるように一体に形成された金属製の薄板パイプ状のもので、前記第１のアーム部材５３または第２のアーム部材５４として機能している。各吸盤補強部材７は、部材取付部７６に設けられた貫通孔７６１の軸心を前記吸盤２、３の取付部２３、３３に設けられた貫通孔２３１、３３１の軸心と一致させており、前記貫通孔７６１、２３１、３３１を貫通するボルト７６２を備えている。そして、吸着補強部材７の内側縁７２は、前記ベース部材４１、４２の一端部４５、換言すれば、部材取付部７６の基端部によって厚み方向に押圧されるようになっている。なお、この吸着補強部材７は、図面でパターンを付して示している。
【００８３】
本実施形態の吸盤装置１は、上述したようなものであるため、第１実施形態と同一またはこれに準じた効果を得ることができる。特に、本実施形態の吸盤装置１によれば、吸着補強部材７が押圧部７０と部材取付部７６とを一体形成したものであるので、ボルト７６２を用いて容易に吸着補強部材７を吸盤２、３に取り付けることができる。
【００８４】
なお、吸着補強部材は、金属製のものに限られず、合成樹脂製または木製等種々変更可能である。また、図示していないが、取付部２３、３３の各貫通孔２３１、３３１の内部には、磨耗防止用の金属製のパイプが配されている。
【００８５】
＜第７実施形態（図１７、図１８）＞
次に、本発明の第７実施形態について図１７及び図１８を参照して説明する。なお、第１実施形態と同一またはこれに準ずる部分には、第１実施形態と同一の符号を付して、詳細な説明を省略する。
【００８６】
この吸盤装置１は、図１７及び図１８に示すように、複数の被吸着対象にそれぞれ着脱可能な４つの吸盤２、３、８、９と、これらの吸盤２、３、８、９の吸着面２１、３１、８１、９１の方向を相対的に変更して保持できるように当該吸盤２、３、８、９同士を接続する接続手段４とを備えている。本実施形態では、吸盤装置１は、例えば図１８に二点鎖線で示すように、各吸盤２、３、８、９が前記接続手段４に対して一平面上での回転をするように構成されている。
【００８７】
接続手段４は、図１７及び図１８に示すように、外力を受けた際に回転し、外力を除去した際にその回転姿勢を自己保持するジョイント５２を備えたものであり、剛性部材５１と、この剛性部材５１及び各吸盤２、３、８、９の間に配されるヒンジジョイント５２を主体に構成されている。より具体的には、接続手段４は、各吸盤２、３、８、９を回転動作可能に支持する前記剛性部材５１である連結杆５６と、この連結杆５６を外側から覆うカバー５５５とを備えている。そして、各吸盤２、３、８、９の取付部２３、３３、８３、９３に形成された貫通孔５５１、５５２、５５３、５５４、及び、連結杆５６によって、ヒンジジョイント５２を形成している。
【００８８】
ジョイント５２は、外力を受けた際に回転し、外力を除去した際にその回転姿勢を自己保持するもので、前記第１、第２、第３、第４の吸盤２、３、８、９を横並びになるように接続するものである。ジョイント５２の回転姿勢の自己保持は、連結杆５６の外周面と各貫通孔５５１、５５２、５５３、５５４の内周面との無段階または有段階の摩擦力やロックを用いて適宜行うことができる。
【００８９】
本実施形態の吸盤装置１は、上述したようなものであるため、第１実施形態と同一またはこれに準じた効果を得ることができる。また、本実施形態の吸盤装置１は、４つの吸盤２、３、８、９を備えているので、これらの吸盤２、３、８、９から選択した任意の吸盤を用いることによって、一の吸盤と他の吸盤との離間距離を変更させることも可能である。
【００９０】
なお、図示していないが、各貫通孔５５１、５５２、５５３、５５４の内部には、磨耗防止用の金属製のパイプが配されている。そのため、金属製の連結杆５６に対する合成樹脂製の吸盤２、３、８、９の取付部２３、３３、８３、９３の反復回転動作にも耐え得るものとなっている。
【００９１】
＜第８実施形態（図１９）＞
次に、本発明の第８実施形態について図１９を参照して説明する。なお、第１実施形態と同一またはこれに準ずる部分には、第１実施形態と同一の符号を付して、詳細な説明を省略する。
【００９２】
この吸盤装置１は、図１９に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。吸盤装置１は、前記第１の吸盤２が前記第２の吸盤３に対して３次元の回転をするように構成されている。接続手段４は、内部にワイヤを有する等、上述したものに準じたものを採用すればよい。
【００９３】
この吸盤装置１は、例えば、メガネＡ７のレンズＡ７１等の被吸着対象Ａの被吸着面に取り付けられ、前記被吸着対象Ａに種々の機能を付与する機能性部材Ａ８を取り付けるための対をなす吸盤２、３を備えた吸盤装置１である。
【００９４】
各吸盤２、３は、例えば、硬質ゴムまたは硬質合成樹脂製の円盤状をなしており、２つの吸盤２、３が背中合わせに接続されたものである。機能性部材Ａ２は、例えば、合成樹脂製の着色されたシート状のものである。
【００９５】
複数用意した対をなす吸盤２、３は、一方の吸盤２をメガネＡ７のレンズＡ７１の前面に装着するとともに、他方の吸盤３を機能性部材Ａ８の背面に装着することにより、レンズＡ７１に遮光性を付与することができる。したがって、従来のサングラスのように用いることができる。なお、通常のメガネとして使用したい場合には、前記吸盤２、３をレンズＡ７１から取り外すだけでよい。
【００９６】
また、この吸盤２、３が取り付けられる被吸着対象によっては、吸盤２、３間に形成される谷間、すなわち、接続手段４に対応する部分を利用して比較的軽量なものを掛けるようにしてもよい。
【００９７】
本実施形態で示した極小吸盤は、上述したものの他に、例えば、ルームミラー、フェンダーミラー、スピードメーター、バイザー、リアガラス等種々の被吸着対象に用いることができる。例えば、一方の吸盤を住宅のガラスや車のスピードメーターに装着するとともに、他方の吸盤を色付きの板に装着することにより、ステンドグラス風に美観を良好なものとすることや、日射し除けとして利用することができる。また、一方の吸盤を住宅や車のガラス、冷蔵庫や家具等に装着するとともに、他方の吸盤をミラーに装着することにより、鏡面を所望の位置及び角度に設置することができる。その他に、一方の吸盤を業務用バイクの風防アクリル板に装着するとともに、他方の吸盤をスマートフォンに装着することにより、バイクにスマートフォンを設置することができる。また、一方の吸盤を板状の拡大レンズに装着するとともに、他方の吸盤をスマートフォンの液晶面に装着することにより、スマートフォンの画像を拡大して見ることができる。その他に、一方の吸盤を車、バイク、自転車等のヘッドライトや懐中電灯に装着するとともに、他方の吸盤を霧対策用の黄色に着色した半透明の薄板に装着することにより、ヘッドライトや懐中電灯から黄色い光を放出させることができる。また、一方の吸盤をルームミラーに装着するとともに、他方の吸盤を黄色に着色した半透明の薄板に装着することにより、後続の車のヘッドライトの反射光をやわらげることができる。
【００９８】
＜第９実施形態（図２０、図２１）＞
次に、本発明の第９実施形態について図２０及び図２１を参照して説明する。なお、第１実施形態と同一またはこれに準ずる部分には、第１実施形態と同一の符号を付して、詳細な説明を省略する。
【００９９】
この吸盤装置１は、図２０に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、例えば図２０に二点鎖線で示すように、前記吸盤２、３がそれぞれ前記接続手段４に対して３次元の回転をすることによって、前記第１の吸盤２が前記第２の吸盤３に対して３次元の回転をするように構成されている。
【０１００】
接続手段４は、図２０に示すように、外力を受けた際に回転し、外力を除去した際にその回転姿勢を自己保持するジョイント５２ａ、５２ｂを備えたものであり、対をなす剛性部材５１ａ、５１ｂと、この剛性部材５１ａ、５１ｂ間に配され端部にボールジョイント５２ａ、５２ｂを備えたジョイント部材５２ｃを主体に構成されている。より具体的には、接続手段４は、前記第１の吸盤２に固着された前記剛性部材５１ａである第１のベース部材４１と、前記第２の吸盤３に固着された前記剛性部材５１ｂである第２のベース部材４２と、これら第１、第２のベース部材４１、４２に両端部が支持される前記ジョイント部材５２ｃとを備えている。
【０１０１】
第１のベース部材４１は、例えば、円柱状の外形をなすもので、前記吸盤２の取付部の外側に固定されている。第１のベース部材４１は、前記ジョイント部材５２ｃの後述する球体部５２５ａを回転可能に保持する保持部５２６ａを備えている。この保持部５２６ａは、具体的には、反吸着面側に開口する凹部である。
【０１０２】
第２のベース部材４２は、例えば、円柱状の外形をなすもので、前記吸盤３の取付部の外側に固定されている。第２のベース部材４２は、前記ジョイント部材５２ｃの後述する球体部５２５ｂを回転可能に保持する保持部５２６ｂを備えている。この保持部５２６ｂは、具体的には、反吸着面側に開口する凹部である。また、第２のベース部材４２は、前記保持部５２６ｂの開口端５２６ｃに対して前記球体部５２５ｂを着脱可能に構成されたものであり、具体的には、前記保持部５２６ｂの開口端５２６ｃが前記球体部５２５ｂの着脱操作により変形可能に構成されている。本実施形態では、第２のベース部材４２が弾性変形可能な素材で形成されている。
【０１０３】
ジョイント部材５２ｃは、前記第１の吸盤２に係わり合う前記球体部５２５ａと、前記第２の吸盤３に係わり合う前記球体部５２５ｂと、これら２つの球体部５２５ａ、５２５ｂ間を接続する剛性部材５１であるアーム部５１ｃとを備えており、前記球体部５２６ｂの外面側には、滑り止め要素５２５ｃを具備してなる。換言すれば、このジョイント部材５２ｃは、前記吸盤装置１に利用されるものであって、一方の吸盤２に設けられた保持部５２６ａ内で摺動可能な一方の被保持部である球体部５２５ａと、他方の吸盤３に設けられた保持部５２６ｂ内で摺動可能、かつ、当該保持部５２６ｂに対して着脱可能であり、表面に滑り止め要素５２５ｃを備えた他方の被保持部である球体部５２５ｂと、前記一方の被保持部５２６ａと前記他方の被保持部５２６ｂとを接続する接続部であるアーム部５１ｃとを具備してなる。
【０１０４】
滑り止め要素５２５ｃは、本実施形態では、摩擦抵抗の比較的小さい合成樹脂製の球状をなす球体部本体の表面全体に添接された膜状のもので、摩擦抵抗の比較的大きい合成樹脂によって形成されている。
【０１０５】
本実施形態では、前記球体部５２５ａ、５２５ｂ、アーム部５１ｃは、合成樹脂により一体に形成されている。そして、前記球体部５２５ａ、５２５ｂと前記保持部５２６ａ、５２６ｂとによって、それぞれボールジョイント５２ａ、５２ｂを形成している。
【０１０６】
ジョイント５２ａ、５２ｂは、外力を受けた際に回転し、外力を除去した際にその回転姿勢を自己保持する合成樹脂製のもので、前記第１の吸盤２と第２の吸盤３とが背中合わせになるように接続するものである。ジョイント５２ａ、５２ｂの回転姿勢の自己保持は、球体部５２５ａ、５２５ｂの外面と保持部５２６ａ、５２６ｂの内面との無段階または有段階の摩擦力やロックを用いて適宜行うことができる。
【０１０７】
さらに、本実施形態の接続手段４は、前記吸盤２、３の吸着面２１、３１と反対側にそれぞれ配され前記吸盤２、３の吸着状態を補強する吸着補強部材７を備えている。各吸着補強部材７は、平面視渦巻き状をなすもので、例えばワイヤを螺旋状に巻回することによって、吸盤２、３の外側面２２、３２に沿うように添設されている。詳述すれば、各吸着補強部材７は、前記吸盤２、３を厚み方向に押圧する押圧部７０を備えたものであり、隣接するワイヤ間に渦巻き状をなす切り欠き部７３が設けられている。なお、この吸着補強部材７は、図面でパターンを付して示している。また、この吸着補強部材７を所望の添接位置に固定するために、当該吸着補強部材７の外面側に図示しないワッシャを介在させた上で、ゴム等の合成樹脂製のフレームの他、例えば、アルミニウム、銅、鉄等の金属製フレームを用いて止めるようにしている。
【０１０８】
以上のようにしてなる吸盤装置１をスマートフォンの支持装置として用いる場合には、各吸盤２、３の吸着面２１、３１を被吸着対象Ａの被吸着面に向け、各吸盤２、３の外側面２２、３２の中央部を被吸着面方向に押圧することにより、吸着面２１、３１と被吸着面との間がほぼ真空状態となり、各吸盤２、３を被吸着面に吸着させ固定することができる。詳述すれば、第１の吸盤２を第１の被吸着対象Ａである機器Ａ１の背面に取り付けるとともに、第２の吸盤３を第２の被吸着対象Ａである固定台Ａ２の上面に取り付ける。そして、被吸着対象Ａに吸盤２を取り付ける前、もしくは、取り付けた後に、接続手段４に外力を加えてジョイント５２ａ、５２ｂを回転させ、吸盤２の吸着面２１の方向を相対的に変更する。接続手段４に対する吸着面２１の角度を変更した後に、接続手段４に外力を加えるのをやめれば、ジョイント５２ａ、５２ｂの摩擦力によりその角度が保持され、固定台Ａ２の上面に対する機器Ａ１の表示画面を所望の角度に設定することができる。
【０１０９】
さらに、本実施形態のような吸盤装置１であれば、図２１に示すように、一方の吸盤３を接続手段４から切り離した状態で、スマートフォンの支持装置として用いることもできる。すなわち、前記第２の吸盤３に一体的に設けられた前記第２の保持部５２６ｂから、ジョイント部材５２ｃの球体部５２５ｂを取り外し、この球体部５２５ｂの滑り止め要素５２５ｃが設けられた外面を第１の被吸着対象Ａである固定台Ａ２の上面に載置するとともに、第１の吸盤２を第２の被吸着対象Ａである機器Ａ１の背面に取り付ける。そして、被吸着対象Ａに吸盤２を取り付ける前、もしくは、取り付けた後に、接続手段４に外力を加えてジョイント５２ａを回転させ、吸盤２の吸着面２１の方向を相対的に変更する。ジョイント部材５２ｃに対する一方の吸着面２１の角度を変更した後に、接続手段４に外力を加えるのをやめれば、ジョイント５２ａの摩擦力によりその角度が保持されるとともに、固定台Ａ２と球体部５２５ｂとの間の滑り止め要素５２５ｃによる摩擦力により、固定台Ａ２の上面に対する機器Ａ１の表示画面を所望の角度に設定することができる。
【０１１０】
本実施形態の吸盤装置１は、上述したようなものであるため、第１実施形態と同一またはこれに準じた効果を得ることができる。
【０１１１】
さらに、本実施形態では、一方の吸盤２に設けられた保持部５２６ａ内で摺動可能な一方の球体部５２５ａと、他方の吸盤３に設けられた保持部５２６ｂ内で摺動可能、かつ、当該保持部５２６ｂに対して着脱可能であり、表面に滑り止め要素５２５ｃを備えた他方の球体部５２５ｂと、前記一方の球体部５２５ａと前記他方の球体部５２５ｂとを接続する接続部であるアーム部５１ｃとを具備してなるジョイント部材５２ｃ、及びこのジョイント部材５２ｃを備えた吸盤装置１を構成した。そのため、上述したような、片側の吸盤３を取り外しても所望の台上に載置可能な吸盤装置１、すなわち、支持装置として複数の使い方が可能な吸盤装置１を提供することができる。この場合、ジョイント部材５２ｃの球体部５２５ａの滑り止め要素５２５ｃがストッパーとしての役割を果たして、吸盤に準じた効果を得ることができる。
【０１１２】
なお、前記被保持部である球体部は、前記アーム部と一体に形成されたものには限られず、また、合成樹脂で形成されたものには限られない。具体的には、滑り止め要素を備えた球体部は、（ｉ）摩擦抵抗の小さい金属製または合成樹脂製の球状をなす球体部本体と、この球体部本体の表面の一部または全部を覆う摩擦抵抗の大きい合成樹脂製の膜とを備えたもの、（ｉｉ）アーム部側に配される摩擦抵抗の小さい金属製または合成樹脂製の半球状をなす基端部と、前記アーム部の反対側に配される摩擦抵抗の大きい合成樹脂製の半球状をなす先端部とを備えたもの、（ｉｉｉ）摩擦抵抗の大きい合成樹脂製の球状をなすもの等が考えられる。また、上記（ｉ）及び（ｉｉ）の場合には、一例として先端側の４割程度を滑り止め要素を備えた部分とし、基端側の６割程度を滑り止め要素を備えないものにするのが好ましい。なお、（ｉ）〜（ｉｉｉ）及びその他の態様であっても、球体部は完全な球状に限られず、例えば表面に凹凸を有したもの等種々変更可能である。さらに、この滑り止め要素の摩擦力は、前述したように吸盤に取り付けられていない状態で台上等に添接させて被吸着対象を支持可能なものであり、かつ、吸盤に取り付けられた状態で保持体内を摺動可能な大きさに設定されている。
【０１１３】
被保持部同士を接続する接続部であるアーム部は、被保持部同士を一体的に接続可能なものであればどのようなものであってもよく、金属製のものや合成樹脂製のもの等剛性を有した種々の素材を適用できる。
【０１１４】
また、ジョイント部材と吸盤との凹凸関係は、上述した実施形態と異なるものであってもよい。具体的には、吸盤装置に利用されるジョイント部材は、両端に球体部を受け入れるための凹部たる保持部を備えたものが考えられる。換言すれば、一方の吸盤に設けられた被保持部である球体部が内部で摺動可能な一方の保持部と、他方の吸盤に設けられた被保持部である球体部が内部で摺動可能、かつ、当該被保持部に対して着脱可能であり、表面に滑り止め要素を備えた他方の保持部と、前記一方の保持部と前記他方の保持部とを接続する接続部とを具備してなるものである。このようなものであれば、上述した実施形態に準じた効果が得られる。なお、他の例としては、ジョイント部材の一端側が吸盤と一体化されており、このジョイント部材に対して前記吸盤の吸着面の方向を変更不能に構成されているものも考えられる。
【０１１５】
さらに、本実施形態の吸着補強部材の素材として金属製のものを用いていたが、合成樹脂製、その他種々変更可能である。また、金属製の場合であっても、アルミニウム、銅、ステンレス等種々のものを採用できる。
【０１１６】
本実施形態では、ジョイントとして、３つのローカル座標のどの軸においても回転可能なジョイントであるボールジョイントを例に挙げたが、これに限られず、３つのローカル座標のうち２つの軸でのみ回転可能なジョイントであるユニバーサルジョイントや、３つのローカル座標のうち１つの軸でのみ回転可能なジョイントであるヒンジジョイントに適用してもよいのはもちろんである。なお、ヒンジジョイントの一例を次の実施形態で示す。
【０１１７】
＜第１０実施形態（図２２〜図２４）＞
次に、本発明の第１０実施形態について図２２〜図２４を参照して説明する。なお、第１実施形態と同一またはこれに準ずる部分には、第１実施形態と同一の符号を付して、詳細な説明を省略する。
【０１１８】
この吸盤装置１は、図２２及び図２３に示すように、複数の被吸着対象にそれぞれ着脱可能な２つの吸盤２、３と、これらの吸盤２、３の吸着面２１、３１の方向を相対的に変更して保持できるように当該吸盤２、３同士を接続する接続手段４とを備えている。本実施形態では、吸盤装置１は、前記吸盤２、３が前記接続手段４に対して一平面上での回転をするように構成されている。すなわち、接続手段４の一軸を中心として３６０度の範囲で回転動作を行い得る。
【０１１９】
接続手段４は、図２２及び図２３に示すように、外力を受けた際に回転し、外力を除去した際にその回転姿勢を自己保持するジョイント５２ａ、５２ｂを備えたものであり、対をなす剛性部材５１ａ、５１ｂと、これら剛性部材５１ａ、５１ｂ間に配されるヒンジジョイント５２ａ、５２ｂを主体に構成されている。より具体的には、接続手段４は、前記第１の吸盤２に固着された前記剛性部材５１ａである第１のベース部材４１と、前記第２の吸盤３に固着された前記剛性部材５１ｂである第２のベース部材４２と、これら第１、第２のベース部材４１、４２に両端部が支持される前記ジョイント部材５２ｃとを備えている。
【０１２０】
第１のベース部材４１は、例えば、円柱状の外形をなすもので、前記吸盤２の取付部の外側に固定されている。第１のベース部材４１は、前記ジョイント部材５２ｃの後述する軸部５２５ｄを回転可能に保持する保持部５２６ｄを備えている。この保持部５２６ｄは、具体的には、両端側に開口する筒状凹部である。
【０１２１】
第２のベース部材４２は、例えば、円柱状の外形をなすもので、前記吸盤３の取付部３３の外側に固定されている。第２のベース部材４２は、前記ジョイント部材５２ｃの後述する軸部５２５ｅを回転可能に保持する保持部５２６ｅを備えている。この保持部５２６ｅは、具体的には、両端側に開口するとともに反吸着面側に開口する凹部である。また、第２のベース部材４２は、前記保持部５２６ｅの開口端５２６ｆに対して前記軸部５２５ｅを着脱可能に構成されたものであり、具体的には、前記保持部５２６ｅの開口端５２６ｆが前記軸部５２５ｅの着脱操作により変形可能に構成されている。本実施形態では、第２のベース部材４２が弾性変形可能な素材で形成されている。
【０１２２】
また、この第２のベース部材４２には、図２３に示すように、保持部５２６ｅの開口端５２６ｆの割れ目からジョイント部材５２ｃを挿入した状態で、リング状もしくは筒状をなす拘束部材５２６ｇが取り付けられている。この拘束部材５２６ｇは、第２のベース部材４２が弾性変形して開口端５２６ｆが不用意に開口してしまうことを抑制するためのものであり、第２のベース部材４２の外周には当該拘束部材５２６ｇのずれを防止するための図示しない溝が形成されている。
【０１２３】
なお、第２のベース部材４２は、拘束部材５２６ｇのずれ防止用の溝が形成されていないものであってもよい。また、拘束部材５２６ｇの代わりに、タップ等により開口端５２６ｆの近傍に複数本の摩擦用段部を筒状に形成して、当該摩擦用段部とジョイント部材５２ｃとの摩擦力により当該ジョイント部材５２ｃの抜出を防止するようにしてもよい。さらに、このような拘束部材５２６ｇや摩擦用段部を備えないものであってもよいのはもちろんである。
【０１２４】
ジョイント部材５２ｃは、前記第１の吸盤２に係わり合う前記軸部５２５ｄと、前記第２の吸盤３に係わり合う前記軸部５２５ｅと、これら２つの軸部５２５ｄ、５２５ｅ間を接続する剛性部材５１であるアーム部５１ｄとを備えており、前記軸部５２６ｅの外面側には、滑り止め要素５２５ｆを具備してなる。換言すれば、このジョイント部材５２ｃは、前記吸盤装置１に利用されるものであって、一方の吸盤２に設けられた保持部５２６ｄ内で摺動可能な一方の被保持部である軸部５２５ｄと、他方の吸盤３に設けられた保持部５２６ｅ内で摺動可能、かつ、当該保持部５２６ｅに対して着脱可能であり、表面に滑り止め要素５２５ｆを備えた他方の被保持部である軸部５２５ｅと、前記一方の軸部５２５ｄと前記他方の軸部５２５ｅとを接続する接続部であるアーム部５１ｄとを具備してなる。
【０１２５】
滑り止め要素５２５ｃは、本実施形態では、金属製のワイヤの外周に巻回された摩擦抵抗の比較的大きい合成樹脂によって形成されている。
【０１２６】
本実施形態では、前記軸部５２５ｄ、５２５ｅ、アーム部５１ｄは、金属製のワイヤにより一体に形成されている。そして、前記軸部５２５ｄ、５２５ｅと前記保持部５２６ｄ、５２６ｅとによって、ヒンジジョイント５２ａ、５２ｂを形成している。
【０１２７】
ジョイント５２ａ、５２ｂは、外力を受けた際に回転し、外力を除去した際にその回転姿勢を自己保持する合成樹脂製のもので、前記第１の吸盤２と第２の吸盤３とが背中合わせになるように接続するものである。ジョイント５２ａ、５２ｂの回転姿勢の自己保持は、軸部５２５ｄ、５２５ｅの外面と保持部５２６ｄ、５２６ｅの内面との無段階または有段階の摩擦力やロックを用いて適宜行うことができる。
【０１２８】
さらに、本実施形態の接続手段４は、前記吸盤２、３の吸着面２１、３１と反対側にそれぞれ配され前記吸盤２、３の吸着状態を補強する吸着補強部材７を備えている。各吸着補強部材７は、前述した第９実施形態のものと同一であるため、詳細な説明を省略する。
【０１２９】
以上のようにしてなる吸盤装置１をスマートフォンの支持装置として用いる場合には、各吸盤２、３の吸着面２１、３１を被吸着対象Ａの被吸着面に向け、各吸盤２、３の外側面２２、３２の中央部を被吸着面方向に押圧することにより、吸着面２１、３１と被吸着面との間がほぼ真空状態となり、各吸盤２、３を被吸着面に吸着させ固定することができる通常の使用方法の他に、図２４に示すように、一方の吸盤３を接続手段４から切り離した状態で、スマートフォンの支持装置として用いることもできる。すなわち、前記第２の吸盤３に一体的に設けられた前記第２の保持部５２６ｅから、ジョイント部材５２ｃの軸部５２５ｅを取り外し、この軸部５２５ｅの滑り止め要素５２５ｆが設けられた外面を第１の被吸着対象Ａである固定台Ａ２の上面に載置するとともに、第１の吸盤２を第２の被吸着対象Ａである機器Ａ１の背面に取り付ける。そして、被吸着対象Ａに吸盤２を取り付ける前、もしくは、取り付けた後に、接続手段４に外力を加えてジョイント５２ａを回転させ、吸盤２の吸着面２１の方向を相対的に変更する。ジョイント部材５２ｃに対する吸着面２１の角度を変更した後に、接続手段４に外力を加えるのをやめれば、ジョイント５２ａの摩擦力によりその角度が保持されるとともに、固定台Ａ２と軸部５２５ｅとの間の滑り止め要素５２５ｆによる摩擦力により、固定台Ａ２の上面に対する機器Ａ１の表示画面を所望の角度に設定することができる。
【０１３０】
本実施形態の吸盤装置１は、上述したようなものであるため、第９実施形態と同一またはこれに準じた効果を得ることができる。なお、軸部間を接続するアーム部の形状はどのようなものであってもよく、大きさも種々変更可能である。また、軸部がその軸方向に沿って保持部内をスライド移動可能なものであってもよい。
【０１３１】
＜第１１実施形態（図２５）＞
次に、本発明の第１１実施形態について図２５を参照して説明する。なお、第１実施形態と同一またはこれに準ずる部分には、第１実施形態と同一の符号を付して、詳細な説明を省略する。
【０１３２】
この吸盤装置は、複数の被吸着対象にそれぞれ着脱可能な２つの吸盤２と、これらの吸盤２の吸着面２１の方向を相対的に変更して保持できるように当該吸盤２同士を接続する接続手段とを備えている。なお、図２５では、２つの吸盤のうち一方の吸盤２のみを図示しているが、接続手段については、種々のものを適用することができる。本実施形態では、吸盤装置は、前記各吸盤２がそれぞれ前記接続手段に対して３次元の回転をすることによって、前記第１の吸盤２が図示しない前記第２の吸盤に対して３次元の回転をするように構成されている。
【０１３３】
各吸盤２は、合成樹脂製の吸盤本体２４と、この吸盤本体２４の中央部分に着脱可能に設けられた取付部２５とを備えたものである。前記吸盤本体２４は、当該吸盤本体２４の厚み方向に貫通された開口部２４１と、この開口部２４１と連通して厚み方向中間部分に形成された溝２４２とを備えたものである。詳述すれば、各吸盤２は、滑らかな表面を持つ被吸着対象に吸着される吸着面２１として用いられる内側面と、この内側面の反対側に形成される外側面２２と、中央部分に設けられ取付部２５を挟持するための溝２４２と、この溝２４２と連通し外方に開口する外側の開口部２４１ａと、前記溝２４２と連通し内方に開口する内側の開口部２４１ｂとを備えている。前記取付部２５は、前記溝２４２に取り付けられる嵌合部２５１と、この嵌合部２５１と一体に形成され外部から把持可能な突出部２５２とを備えたものである。前記突出部２５２は、前記外側の開口部２４１ａに取り付けられており、外側面２２よりも外方に突出している。なお、取付部２５は、吸盤本体２４と同一の合成樹脂で形成されたものであってもよいし、金属製もしくは剛性を有する合成樹脂製等、種々のものを採用することができる。また、取付部２５の突出側の形状はどのようなものであってもよく、例えば、取付部２５として、図示しない第２の吸盤の取付部を採用してもよい。詳述すれば、第１の吸盤２４が前記開口部２４１及び溝２４２を備えた吸盤本体２４を備えており、第２の吸盤が吸盤本体の外面側に一体に設けられた合成樹脂製の取付部２５を備えており、この取付部２５の先端側には前記嵌合部２５１が形成されているとともに、この嵌合部２５１よりも基端側を前記突出部２５２と捉えることもできる。
【０１３４】
しかして、この吸盤２は、前記取付部２５を溝２４２に取り付けた状態で吸着面２１側を真空状態にできるようになっている。そのため、２部材で構成されているにもかかわらず、従来の全体が合成樹脂により一体に形成された吸盤と同じように吸盤装置に用いることができる。
【０１３５】
本実施形態の吸盤２を用いた吸盤装置は、第１実施形態と同一またはこれに準じた効果を得ることができる。
【０１３６】
さらに、本実施形態のような吸盤２であれば、取付部２５を吸盤本体２４に対して左右方向または斜め方向に捩ることにより、前記溝２４２と嵌合部２５１との間に形成される隙間を介して吸着面２１に空気が入り込む。そのため、従来のような外側面に設けられた取り外し用の操作片がなくとも簡単に被吸着対象から吸盤２を取り外すことができる。このような吸盤２は、頻繁に着脱操作が行われる場所に適用されるのが好ましい。
【０１３７】
なお、前記溝２４２と嵌合部２５１との間に図示しないパッキングを介在させてもよい。このパッキングは、例えば、前記溝２４２の奥端部に沿うように配される弾性変形可能な環状のものや、前記嵌合部２５１の全体を包み込むように前記溝２４２の全体に配される弾性変形可能な立体形状をなすもの等を適用すればよい。
【０１３８】
以下、本発明の参考となる吸盤を利用した他の実施形態について説明する。
【０１３９】
＜第１２実施形態（図２６）及び変形例（図２７、図２８）＞
図２６に示すものは、例えば、メガネＥ１のレンズＥ１１等の被吸着対象Ｅの被吸着面に取り付けられ、前記被吸着対象Ｅに種々の機能を付与する吸盤Ｂ２を備えた吸盤装置Ｂ１である。
【０１４０】
吸盤Ｂ２は、例えば、硬質ゴムまたは硬質合成樹脂製の円盤状のもので、透明性を保ちつつ全体的に着色されている。この吸盤Ｂ２は、滑らかな表面を持つ被吸着対象に吸着される吸着面Ｂ２１として用いられる内側面と、この内側面の反対側に形成される外側面とを備えている。
【０１４１】
この吸盤Ｂ２をメガネＥ１のレンズＥ１１の裏側から装着することにより、レンズＥ１１に遮光性という機能を付与することができる。したがって、従来のサングラスのように用いることができる。なお、通常のメガネＥ１として使用したい場合には、前記吸盤Ｂ２をレンズＥ１１から取り外すだけでよい。
【０１４２】
なお、色付きの吸盤の他に、例えば、視力矯正用の吸盤を用いて矯正前のメガネのレンズに当該吸盤を装着することにより、レンズに視力矯正機能を付与することができる。また、このような機能は、吸盤全体が有している場合に限られず、吸盤の一部、特に吸盤の中心部分のみが有している場合であってもよい。
【０１４３】
図２７及び図２８に示すものは、第１２実施形態の吸盤装置Ｂ１に準じた吸盤装置Ｃ１であり、中央部分に吸着面Ｃ２１である内側面と外側面Ｃ２２とを貫通する空洞Ｃ２２１と、この空洞Ｃ２２１に連続して設けられ取り替えレンズＣ２４を挟むための溝Ｃ２２２とを備えている。この吸盤装置Ｃ１は、取り替えレンズＣ２４を溝Ｃ２２２に取り付けた状態で吸着面Ｃ２１側を真空状態にできるようになっている。
【０１４４】
また、これと同様の考え方により、例えば、自動車のヘッドライト等の被吸着対象の被吸着面に取り付けられ、前記被吸着対象にスクリーン機能を付与する吸盤を備えた吸盤装置も考えられる。すなわち、例えば、黄色に着色した半透明の吸盤を前記ヘッドライトの前面に取り付けることにより、無着色のヘッドライトに対して黄色い光を放出させることができ、霧対策として用いることが可能となる。
【０１４５】
＜第１３実施形態（図２９）＞
図２９に示すものは、一方の吸盤Ｄ２の吸着面Ｄ２１に囲まれた空間内に他方の吸盤Ｄ３が配されたものであって、前記一方の吸盤Ｄ２の吸着面Ｄ２１と前記他方の吸盤Ｄ３の吸着面Ｄ３１とが同方向を向いていることを特徴とする吸盤装置Ｄ１である。
【０１４６】
各吸盤Ｄ２、Ｄ３は、例えば、硬質ゴムまたは硬質合成樹脂製の円盤状をなしており、滑らかな表面を持つ被吸着対象に吸着される吸着面Ｄ２１、Ｄ３１として用いられる内側面と、この内側面の反対側に形成される外側面Ｄ２２、Ｄ３２とを備えている。外側に位置する第１の吸盤Ｄ２の内側面中央部には、内側に位置する第２の吸盤Ｄ３の取付部Ｄ３３が固着されている。
【０１４７】
このような吸盤装置Ｄ１によれば、種々の大きさの被吸着対象に取り付けることができる。すなわち、被吸着対象の被吸着面が第１の吸盤Ｄ２の吸着面Ｄ２１の直径より大きい場合には、被吸着面に第１の吸盤Ｄ２及び第２の吸盤Ｄ３が吸着することとなる。一方、被吸着対象の被吸着面が第１の吸盤Ｄ２の吸着面Ｄ２１の直径より小さい場合であっても、第２の吸盤Ｄ３の吸着面Ｄ３１の直径より大きい場合には、被吸着面に第２の吸盤Ｄ３が吸着することとなる。すなわち、この吸盤装置Ｄ１を用いることにより、被吸着面の大きさに合わせて吸盤を選択する手間を省くことができる。
【０１４８】
なお、本発明は以上に述べた実施形態に限られない。
【０１４９】
被吸着対象が比較的大きい場合には、上述した実施形態の吸盤装置のうち任意の複数の吸盤装置を組み合わせて使用してもよい。例えば、一方の吸盤をフロントガラスに装着するとともに、他方の吸盤をスマートフォンに装着するに際し、バスやトラック等フロントガラスがほぼ垂直に設けられている場合、スマートフォン等を真っ直ぐに保持した状態で取り付けることは比較的容易であるが、乗用車のようにフロントガラスが傾斜を有している場合には難しい。
【０１５０】
そのため、吸盤装置の組み合わせ使用の一例として、車のフロントガラスの右上角部にスマートフォンを縦向きに取り付けてカーナビゲーションシステムとして用いる場合、第８実施形態で示した伸縮性のないＷ吸盤型の吸盤装置と、第１実施形態で示したねじり型の吸盤装置または第２実施形態で示した一本型の吸盤装置とを上下に並べて設けることが考えられる。このようなものであれば、フロントガラスの傾斜に対してスマートフォンを真っ直ぐに保持することができる。
【０１５１】
また、他の一例としては、車のフロントガラスのスピードメータの直上部分にスマートフォンを縦向きに取り付けてカーナビゲーションシステムとして用いる場合、第３実施形態で示したロッドアンテナ型の吸盤装置と、第１実施形態で示したねじり型の吸盤装置または第２実施形態で示した一本型の吸盤装置とを上下に並べて設けることが好ましい。より具体的には、ロッドアンテナ型の吸盤装置の一方の吸盤をフロントガラスの下部内面に吸着させるとともに他方の吸盤をスマートフォンの背面上部に吸着させ、ねじり型または一本型の吸盤装置の一方の吸盤をスピードメータの上方に位置するダッシュボードの上面に吸着させるとともに他方の吸盤をスマートフォンの背面下部に吸着させる。このようなものであれば、フロントガラスの傾斜に対してスマートフォンを真っ直ぐに保持することができる。なお、スマートフォンがカーナビゲーションシステムとして用いられれば、車のシガーライターから電源をとることができ、マップ情報等を随時更新する必要なしにいつでも最新の情報を得ることができる他、リアルタイムでアプリケーションソフトの情報も閲覧可能である。
【０１５２】
接続手段は、例えば、ちょうつがいを利用したものであってもよい。特に、軸部分が分割されている抜き蝶番の一種であるフラッシュ蝶番を用いることが好ましい。ちょうつがいは、扉等に取り付けるためのボルト挿通孔が設けられているため、このボルト挿通孔を利用して吸盤を取り付けるようにすればよい。
【０１５３】
なお、ワイヤの端部を固定するために、ビーズ等の合成樹脂製の玉状部材や、ワッシャ等の金属製の板状部材、または、接着剤等を用いて、第１または第２の吸盤の取付部に設けられた孔を埋めるようにしてもよい。
【０１５４】
また、本発明の吸盤装置は、複数の吸盤と、これらの吸盤の吸着面の方向を相対的に変更して保持できるように当該吸盤同士を接続する接続手段とを少なくとも備えていればどのようなものであってもよく、吸着補強部材を備えていないものであってもよいのはもちろんである。特に、吸盤の反吸着面側に設けられた取付部が比較的剛性を有するものである場合、吸着補強部材を備えていなくても当該取付部を用いて吸着状態を強固なものとすることができる。しかしながら、このような剛性のある取付部を備えた吸盤にさらに吸着補強部材を備えるようにすれば、吸着状態をさらに強固なものとすることが可能となる。
【０１５５】
吸盤の形状や大きさは、図示したものに限られず種々変更可能である。また、吸盤の形状や大きさに対応させて吸着補強部材の形状や大きさも、種々変更可能である。
【０１５６】
その他、本発明の趣旨を損ねない範囲で種々に変更してよい。
【符号の説明】
【０１５７】
１…吸盤装置
２、３、８、９…吸盤
２１、３１、８１、９１…吸着面
２３１、３３１…貫通孔
２４…吸盤本体
２４１…開口部
２４２…溝
２５…取付部
２５１…嵌合部
２５２…突出部
４…接続手段
４３…塑性変形部材
４３１…ワイヤ
５２、５２ａ、５２ｂ…ジョイント
５２ｃ…ジョイント部材
５２５ｃ、５２５ｆ…滑り止め要素
５２６ａ、５２６ｂ、５２６ｄ、５２６ｅ…保持部
７…吸着補強部材
７０…押圧部
７６…部材取付部
７６１…貫通孔
【図１】
2014149078.tif 000003
【図２】
2014149078.tif 000004
【図３】
2014149078.tif 000005
【図４】
2014149078.tif 000006
【図５】
2014149078.tif 000007
【図６】
2014149078.tif 000008
【図７】
2014149078.tif 000009
【図８】
2014149078.tif 000010
【図９】
2014149078.tif 000011
【図１０】
2014149078.tif 000012
【図１１】
2014149078.tif 000013
【図１２】
2014149078.tif 000014
【図１３】
2014149078.tif 000015
【図１４】
2014149078.tif 000016
【図１５】
2014149078.tif 000017
【図１６】
2014149078.tif 000018
【図１７】
2014149078.tif 000019
【図１８】
2014149078.tif 000020
【図１９】
2014149078.tif 000021
【図２０】
2014149078.tif 000022
【図２１】
2014149078.tif 000023
【図２２】
2014149078.tif 000024
【図２３】
2014149078.tif 000025
【図２４】
2014149078.tif 000026
【図２５】
2014149078.tif 000027
【図２６】
2014149078.tif 000028
【図２７】
2014149078.tif 000029
【図２８】
2014149078.tif 000030
【図２９】
2014149078.tif 000031